(57)【要約】【課題】掬いこみと挟持と篩分け作業ができる、装置の高機能化と製造コストの低廉化を両立させた装置を提供することである。【解決手段】複数の開孔を有したバケットと、前記バケットと相対するようにピンで枢着された複数の開孔を有するフォークと、このフォークを回動させる油圧シリンダーがバケットにピンで枢着され、この油圧シリンダーの中心線が、バケットのエッジよりも前方にあり、フォークの挟持面と略平行になるように配し、前記油圧シリンダーをフォークフレームの中に収容し、シリンダー先端部をフォーク先端部に枢着させ、フォーク先端部に異物を排出するための排出孔を設けた。【選択図】図２
2016023543.tif 000002
【特許請求の範囲】
【請求項１】
複数の開孔を有したバケットと、前記バケットと相対するようにピンで枢着された複数の開孔を有するフォークと、このフォークを回動させる油圧シリンダーがバケットにピンで枢着され、この油圧シリンダーの中心線が、バケットのエッジよりも前方にあり、
フォークの挟持面と略平行となることを特徴とした篩分け挟持装置。
【請求項２】
前記フォークの油圧シリンダーをフォークフレームの中に収容し、シリンダー先端部をフォーク先端部に枢着させた事を特徴とする請求項１に記載の篩分け挟持装置。
【請求項３】
前記フォーク先端部に異物を排出するための排出孔を設けてある事を特徴とする請求項１又は２に記載の篩分け挟持装置。
【請求項４】
前記フォークの複数の開孔は、バケットの複数の開孔との大きさが等しいか又は略等しいことを特徴とする、請求項１乃至請求項３のいずれかに記載の篩分け挟持装置。
【発明の詳細な説明】
【技術分野】
【０００１】  本発明は、ショベル系掘削機のアーム先端に着脱可能なバケットで土砂の掬いこみ及び篩分けと、廃木材の挟持装置に関し、特に挟持装置について篩分けを備えた構造に関する。
【背景技術】
【０００２】  従来より、産業廃棄物処理作業等において、廃木材等の廃棄物は油圧ショベルのアーム先端に装着された挟持装置等で運搬のために使用されている。また廃棄物を選別し篩分けることにより、再利用が可能な資源が得られる事が知られている。【０００３】  特許文献１の挟持装置は、油圧ショベルのバケットと、油圧ショベルのアーム先端を支点にバケットに相対する回転可能なフォーク爪と、アーム根本部分を支点とする油圧シリンダーをフォーク爪に連結させたものである。【０００４】
【特許文献１】特開平０９−１２５４４３号公報
【発明の概要】
【発明が解決しようとする課題】
【０００５】  油圧ショベルのアーム先端に装着されたアタッチメントにおいて、廃棄物の迅速な処理を図ることができる、高機能な装置が求められてきた。しかし、高機能である装置の場合、構造が複雑で重くそして高価になる。【０００６】  バケットに相対するフォーク爪を独立して回動させるには、油圧シリンダーを備える必要がある。しかし、バケットに油圧シリンダーを配置したことにより、バケットの複数の開孔を削ぎ篩分け効率の低下を招く虜がある。【０００７】  また、油圧ショベルのアームに油圧シリンダーを取付けると、油圧シリンダーを枢支するためのブラケットは油圧ショベルのアームに溶接などで固着され、装置の取替えが困難になる。【０００８】  本発明の目的は、掬いこみと挟持と篩分けができる、装置の高機能化と製造コストの低廉化を両立させた装置を提供することである。
【課題を解決するための手段】
【０００９】  請求項１の篩分け挟持装置は、複数の開孔を有したバケットと、前記バケットと相対するようにピンで枢着された複数の開孔を有するフォークと、このフォークを回動させる油圧シリンダーがバケットにピンで枢着され、この油圧シリンダーの中心線が、バケットのエッジよりも前方にあり、フォークの挟持面と略平行となることを特徴としている。【００１０】  フォークの油圧シリンダーをフォークフレームの中に収容し、シリンダー先端部をフォーク先端部に枢着させた事を特徴とする。【００１１】  フォークの先端部に異物を排出するための排出孔を設けてある事を特徴とする。【００１２】フォークの複数の開孔は、バケットの開孔との大きさが等しいか又は略等しいことを特徴としている。
【発明の効果】
【００１３】  請求項１の発明によれば、バケットで掬いこんだ廃棄物を、フォークを回動させ蓋をしてバケット内に閉じ込めることができる。そして油圧ショベルのアームを前後に往復動作させ、揺さぶることによって閉じ込められた廃棄物が、バケットとフォークとで交互に叩きつけられ解けるため、時間を短縮して分離され複数の開孔から排出することができる。【００１４】  請求項２の発明によれば、油圧シリンダーをバケットのエッジより前方に配置したことにより、バケットの複数の開孔の数を減することないので作業効率の低下を招く事無く、油圧シリンダーを取付けることができる。
また、両側に配設された油圧シリンダー先端はフォーク先端部に枢着され、フォーク先端にシリンダーの力が直接作用し、力の伝達距離を短縮化できることからフォークの軽量化と製造コストを抑えることができる。【００１５】  請求項３の発明によれば、フォークに油圧シリンダーを収容するための開口部が設けてあるが、この開口部から異物や雨水が侵入した場合に、フォークの先端部の排出孔を介し排出することができる。【００１６】  請求項４の発明によれば、バケットとフォークの複数の開孔の大きさを等しくすることにより、均一の大きさで篩分けができる。
【図面の簡単な説明】
【００１７】
【図１】篩分け挟持装置を油圧ショベルに適用したときの概略図である。
【図２】篩分け挟持装置の側面図である。
【図３】篩分け挟持装置のバケットの斜視図である。
【図４】篩分け挟持装置のフォークの斜視図である。
【図５】篩分け挟持装置のフォーク挟持面の斜視図である。
【図６】油圧シリンダーの中心と、フォークを閉じた時の挟持面の関係を示す側面図である。
【図７】油圧シリンダーの中心と、フォークを開いた時の挟持面の関係を示す側面図である。
【発明を実施するための形態】
【００１８】  以下、本発明の実施形態を図面に基づいて詳細に説明する。
【実施例１】
【００１９】  以下、本発明の実施例１について図１〜図７に基づいて説明する。
図１に示すように、油圧ショベルのアーム１９はバケット１のホルダー３を揺動可能に連結する連結ピン９と、バケット１を連結ピン９を中心として揺動させる油圧シリンダー１８に連結されたリンク１７、そしてリンク１７に連結するホルダー３に連結ピン１０が設けられている。篩分け挟持装置１６は油圧ショベルに着脱可能なアタッチメントであり、アーム１９の先端部に連結ピン９と連結ピン１０により着脱自在に連結されている。油圧ショベルに設置された油圧ポンプから油圧シリンダー１２や１８に高圧流体、例えば高圧油が供給される。【００２０】  次に、篩分け挟持装置１６について説明する。
図２に示すように、篩分け挟持装置１６は、油圧ショベルに連結されるホルダー３と、バケット１と油圧シリンダー１２を収容したフォーク１４と備えている。またバケット１とフォーク１４とを連結する連結ピン１３と、バケット１と油圧シリンダー１２を連結する連結ピン１１と、この油圧シリンダー１２とフォーク１４を連結する連結ピン１５を設けている。【００２１】  次に、篩分け挟持装置に連結されたフォーク１４について説明する。
図４に示すように、フォーク１４は爪２０と爪２１がバケット１のエッジ２に相対するように配され、両側の爪２０と爪２１はリブ２４とエッジ２６によって固着され、またエッジ２６はリブ２３によって固着され、前記リブ２３とリブ２４によってフォーク１４の複数の開孔を形成している。エッジ２６には爪２７を着脱自在に備えている。【００２２】  図６に示すように、フォーク１４を油圧シリンダー１２を伸ばして閉じた時のシリンダー１２の中心線９９は、バケット１のエッジ２よりも前方に配され、またフォーク１４の挟持面９８の線と略平行となる。以下、便宜上、図中、左側を後方とし、右側を前方として説明する。【００２３】  図７に示すように、フォーク１４を油圧シリンダー１２を縮め開いた時のシリンダー１２の中心線９９は、フォーク１４の挟持面９８の線と略平行となる。【００２４】  図２に示すように、フォーク１４のボス２８はバケット１のボス６に連結ピン１３で連結されている。またフォーク１４の先端のボス３０は、連結ピン１５によって油圧シリンダー１２の先端に連結されている。油圧シリンダー１２の伸縮動作によって連結ピン１３を支点としてフォーク１４が揺動し、そして連結ピン１１を支点として油圧シリンダー１２が揺動する。【００２５】  図４及び図５に示すように、油圧シリンダー１２はフォーク１４を形成する爪２０と爪２１、フレーム２２とフレーム２９によって覆われている。その構造上フォーク１４の先端で袋小路とならないようフォーク１４の先端に排出孔２５を設けて、異物の排出を促し前記フレーム内で異物が滞留し、シリンダーを損傷させないようにしている。【００２６】  次に、バケット１について説明する。
図３に示すように、バケット１は前後方向に湾曲したリブ７とリブ４が複数配設され、複数の開孔を形成している。バケット１の上部にはホルダー３を備えている。バケット１はボス６をエッジ２の円弧より後方に、ボス５をエッジ２より前方に備えている。またバケット１前方の先端部には爪８を着脱自在に備えている。
【符号の説明】
【００２７】１，バケット
２，フォーク
３，油圧シリンダー
１２，篩分け挟持装置
【図１】
2016023543.tif 000003
【図２】
2016023543.tif 000004
【図３】
2016023543.tif 000005
【図４】
2016023543.tif 000006
【図５】
2016023543.tif 000007
【図６】
2016023543.tif 000008
【図７】
2016023543.tif 000009